(57)【要約】【課題】  溝蓋間の排水穴に高さや前後のずれ、間隔の広狭差があっても、取り付けると取付時の姿勢を長く維持させておくことができる溝蓋排水穴閉塞用のキャップの提供。【解決手段】  排水穴Ｃを閉じるに十分な面積を備えた平板状の天板１の下面から垂下された支柱２と、該支柱２の下部２１の両側に下端部３１，３１が支持された左右一対の脚部材３，３と、該一対の脚部材３，３の上端部３２，３２に接当し、該接当部３３，３３に降下移動圧を伝達する昇降移動部材４と、該昇降移動部材４を昇降移動させる回転軸体５とからなり、該一対の脚部材３，３の上端部３２，３２に接当し、該接当部３３，３３に降下移動圧を伝達する昇降移動部材４と、該昇降移動部材４を昇降移動させる回転軸体５とからなり、前記脚部材３，３が、昇降移動部材４の降下移動圧を受けると上下方向中間部３４，３４が降下移動しながら外方向に向かって拡径する構造としたもの。【選択図】      図１
2009150051.tif 000002
【特許請求の範囲】
【請求項１】
互いに隣接する溝蓋(B,B)間に形成された排水穴(C)を閉塞するキャップであって、
排水穴(C)を閉じるに十分な面積を備えた平板状の天板(1)と、
該天板(1)の下面から下方に向かって一体的に垂下された支柱(2)と、
該支柱(2)の下部(21)の両側に下端部(31，31)が支持された左右一対の脚部材(3，3)と、
該一対の脚部材(3，3)の上端部(32，32)に接当し、該接当部(33，33)に降下移動圧を伝達する昇降移動部材(4)と、
該昇降移動部材(4)を昇降移動させる回転軸体(5)とからなり、
前記脚部材(3，3)が、昇降移動部材(4)の降下移動圧を受けると上下方向中間部(34，34)が降下移動しながら外方向に向かって拡径する構造とされている
溝蓋排水穴閉塞キャップ。
【請求項２】
脚部材(3，3)が支柱(2)の軸回りに回転することを阻止する回転阻止部材(6)が、天板(1)の下面から垂下状に設けられている請求項１に記載の溝蓋排水穴閉塞キャップ。
【請求項３】
左右一対の脚部材(3，3)が、上半部材(3a)と下半部材(3b)とからなり、下半部材(3b)の下端部(31，31)と、上半部材(3a)の上端部(32，32)と、これら上半部材(3a)と下半部材(3b)との連設部とが、それぞれ水平方向軸(a，b，c)によって相対角度変更自在に連結されている請求項１または２に記載の溝蓋排水穴閉塞キャップ。
【請求項４】
左右一対の脚部材(3，3)が、一連の板状素材(30)を用いて、円筒状または角筒状に形成したものである請求項１または２に記載の溝蓋排水穴閉塞キャップ。
【発明の詳細な説明】
【技術分野】
【０００１】
本発明は、主として道路の側方に形成された排水溝の上面を覆っている溝蓋の、隣り合う溝蓋どうしの間に形成されている排水穴を閉じるために使用する穴閉塞キャップに関するものである。
【背景技術】
【０００２】
従来から、主として道路の側方に形成されているＵ字溝やコの字形溝等の排水溝には、危険防止の観点からその上面を溝蓋で覆ってある。この溝蓋には、施工時に指先やリフトハンガーの爪等を係合させるためと、降雨時における路上水の急速な排水のためとの必要性から、溝蓋自体に形成してある排水穴の他に、隣接する溝蓋どうしの接続縁部分に、少し大きめの排水穴が設けられている。この排水穴は、歩行者の靴足先や子供の靴を引掛けたり、ハイヒールのかかと部分がすっぽりと嵌り込んだりして、躓いたり、転倒したりする危険性を潜在的に孕んでいる。また、この排水穴は、障害者用の車椅子の小さな車輪も嵌り込んで前進を阻害されたり転倒したりする危険な穴でもある。本発明にいう溝蓋排水穴閉塞キャップはこの穴を閉塞するために使用するものである。
【０００３】
この危険性に着目し、この排水穴の危険性を排除することを目的として、本出願人は、例えば特許文献１や非特許文献１に見られるような排水穴閉塞キャップを開発し、既に提案している。
【０００４】
ここにいう前者の特許文献１に記載のキャップは、溝蓋Ｂの排水口Ｃから差し込んで溝蓋Ｂの背面側に当てつけるフック片３ａ，３ａを備えた挟着片３を天板１の背面側に昇降自在に取り付けたもので、この挟着片３を排水口Ｃから差し込んで天板１とともに水平方向に９０度回転させてフック片３ａ，３ａを溝蓋Ｂの下側に移動させた後、ボルト４を回転させて挟着片３を引き上げて、天板１とフック片３ａ，３ａとで溝蓋Ｂを挟持させることによって、溝蓋Ｂに固定して使用する構造としたものである。
【０００５】
また、後者の非特許文献１に記載のキャップは、天板１の中央下面から下方に向かって広狭変形可能とした左右一対の脚部材２，２を垂下させ、この両脚部材２，２の間に、ボルト４の回転操作によって昇降移動するナット部材３を介在させ、このナット部材３を昇降させることによって脚部材２，２の間隔を拡大させて両脚部材２，２の下端部を溝蓋Ｂの排水穴Ｃの対向側面に当てつけることによって、溝蓋Ｂに固定して使用する構造としたものである。
【特許文献１】特許第３４９１０８６号公報
【非特許文献１】実用新案登録第３１０４４２９号公報
【発明の開示】
【発明が解決しようとする課題】
【０００６】
しかしながら、これらのキャップを実施してみると、前者の特許文献１のキャップにあっては、挟着片３を排水口Ｃから差し込んで天板１とともに９０度回転させるとき、フック片３ａ，３ａが溝蓋Ｂの下側に確実に移行していないと回転できないため、取付前にフック片３ａ，３ａを溝蓋Ｂの下側に大きく下げておく必要があり、取り付けに際してボルト４を多く回転しなければならないので、取付作業に手間が掛かるという課題を有することが分かった。
【０００７】
また、後者の非特許文献１のキャップにあっては、ナット部材３を昇降させることによって脚部材２，２の間隔を広げて脚部材２，２の下端部だけを排水穴Ｃの対向する側面に当てつけて固定するようにしたものであるため、取付時に大きな圧接力で確実に固定しておいても、ある期間を経過すると圧接力が弱まって、天板１に躓いたりすると容易に外れてしまうという課題を有していることが確認されるに至った。
【０００８】
他方、溝蓋Ｂを乗せ付ける基礎となるＵ字形溝自体が、繋ぎ目に高低段差があったり、溝幅方向にずれがあったりしていることが多いため、隣り合う溝蓋Ｂ，Ｂどうしが、均等な高さで前後のずれなくぴったりと配置されることは少なく、そのため隣り合う溝蓋Ｂ，Ｂどうしの間に形成される排水穴Ｃ自体も、高さのずれや前後のずれがあること、また、互いの間隔も広狭不均一となっていることが多い。そのため、前記両文献に記載の先行技術のものにあっては、良好な取付状態を長く維持させておくことができにくいという課題を有するものとなっていた。
【０００９】
そこで本発明は、これらの先行開発した製品に比して、一旦取り付けると取付時の姿勢を長く維持させておくことができる溝蓋排水穴閉塞用のキャップを開発したので、ここに開示することを主たる目的とする。
【課題を解決するための手段】
【００１０】
上記目的を達成するために講じた本発明にいう溝蓋排水穴閉塞キャップの主たる構成を符号を用いて示すと次の通りである。即ち、本発明は、互いに隣接する溝蓋Ｂ，Ｂ間に形成された排水穴Ｃを閉塞するキャップであって、排水穴Ｃを閉じるに十分な面積を備えた平板状の天板１と、該天板１の下面から下方に向かって一体的に垂下された支柱２と、該支柱２の下部２１の両側に下端部３１，３１が支持された左右一対の脚部材３，３と、該一対の脚部材３，３の上端部３２，３２に接当し、該接当部３３，３３に降下移動圧を伝達する昇降移動部材４と、該昇降移動部材４を昇降移動させる回転軸体５とからなり、該一対の脚部材３，３の上端部３２，３２に接当し、該接当部３３，３３に降下移動圧を伝達する昇降移動部材４と、該昇降移動部材４を昇降移動させる回転軸体５とからなり、前記脚部材３，３が、昇降移動部材４の降下移動圧を受けると上下方向中間部３４，３４が降下移動しながら外方向に向かって拡径する構造としたものである。
【００１１】
請求項２に記載の構成は、請求項１に記載のキャップの脚部材３，３が、支柱２の軸回りに回転することを阻止する回転阻止部材６を、天板１の下面から垂下状に設けてある構成としたものである。
【００１２】
請求項３に記載の構成は、請求項１または２に記載のキャップの左右一対の脚部材３，３が、上半部材３ａと下半部材３ｂとからなっていて、下半部材３ｂの下端部３１，３１と、上半部材３ａの上端部３２，３２と、これら上半部材３ａと下半部材３ｂとの連設部とが、それぞれ水平方向軸ａ，ｂ，ｃによって相対角度変更自在に連結されている構成としたものである。
【００１３】
請求項４に記載の構成は、請求項１または２に記載のキャップの左右一対の脚部材３，３が、一連の板状素材３０を用いて、上下方向の中間部３４，３４を外側に向けて突出させてある円筒状または角筒状に形成してある構成としたものである。
【発明の効果】
【００１４】
本発明は、天板の下面から下方に向かって支柱を垂下させてあるものとし、この支柱の下部に、左右一対の脚部材の下端部を支持させ、該支柱の上部に、脚部材の上端部に接当して、降下移動時の移動圧を伝達する昇降移動部材を昇降移動自在に装着してあるものとし、この昇降移動部材を降下させたとき、降下移動によって生じる降下圧を受けて脚部材の上下方向中間部が降下移動しながら外方向に向かって拡径する構造としたものであるので、溝蓋の排水穴への装着時には、昇降移動部材の降下移動操作によって、左右一対の脚部材はその下端部が支柱の下部に支持された状態で、その上端部に昇降移動部材の降下移動圧を受けながら強制降下させられることにより、脚部材は、支柱に支持された下端部を支点としてその上下方向中間部が降下しつつ外方向に向かって拡径し、排水穴の対向面に対して圧接することとなる。したがって、排水穴に対する取付形態では、常に下端部側が固定されていて、天板に躓いたり、意識的に蹴られたりして、天板に上方移行力が加えられたとき、天板を介して支柱が上方移動することとなる。支柱が上方移動しようとすると支柱の下部に支持された脚部材を拡径する作用に転化し、より強力に排水穴に圧接することとなって支柱の上方移動を阻止する働きをすることとなる。よって、排水穴に高さのずれや前後のずれがある場合であっても、一旦取り付けた天板は、瞬間的な外力を受けても排水穴から容易に外れることはなく、長期間に亘って取付状態を維持させておくことができるという顕著な効果を期待することができる。
【００１５】
請求項２のように、脚部材が、支柱の軸回りに回転することを阻止する回転阻止部材を天板の下面から垂下状に設けてある構成としておくと、脚部材の拡径操作時に、脚部材の周方向端部が排水穴の側面に接しながら降下することを防止できるので、円滑な取付作業を行うことができる。
【００１６】
請求項３のように、左右一対の脚部材が、上半部材と下半部材とからなっていて、下半部材の下端部と、上半部材の上端部と、これら上半部材と下半部材との連設部とが、それぞれ水平方向軸によって相対角度変更自在に連結されている構成としたものにあっては、脚部材をパンタグラフの左右の屈折部のように、上半部材と下半部材との連設部を排水穴の側面に当てつけて拡径力を伝達できるので、強固な取り付けができる。
【００１７】
請求項４のように、左右一対の脚部材が、一連の板状素材を用いて、上下方向の中間部を外側に向けて突出させてある円筒状や菱形の角筒状や六角形の角筒状に形成してある構成としたものにあっては、脚部材を簡素に形成でき、ひいては、キャップの全体が安価に得られる。
【発明を実施するための最良の形態】
【００１８】
本発明にいう溝蓋排水穴閉塞キャップは、天板や脚部材を金属にこだわることなく、硬質の樹脂素材によって形成することができ、ガラス繊維混入樹脂を使用して劣化防止を図ることもできる。このような樹脂素材を使用した場合には、錆防止の手段を講じる必要がない点で好ましい。他方、アルミやステンレス、防錆処理を施した鋼材のような金属素材で形成した場合には、耐候性と耐光性に優れていて経年劣化が少なくて、長期間使用できる点で好ましい。
【００１９】
また、天板は穴のない板状のものであってもよいが、ハイヒールのかかとや子供の靴先等が嵌り込んだり引っかったりすることのない程度の小さな水抜き用の小穴を形成してあるものとしてもよい。また、天板には、その表面に適宜の模様や柄を形成してあるものとして実施してもよい。
【実施例】
【００２０】
以下本発明の第１実施例の溝蓋排水穴閉塞用キャップについて、図１乃至図１１を使用しながら説明する。図１は全体形状と溝蓋との関係を示す斜視図、図２は平面図、図３は背面図、図４は正面図、図５は右側側面図、図６は図４におけるＡ−Ａ線断面図、図７乃至１１は脚部材を拡径した状態を表す図であって、図７はその全体形状を示す斜視図、図８はその背面図、図９は正面図、図１０は右側側面図、図１１は図９におけるＢ−Ｂ線断面図である。
【００２１】
図１おいて符号Ｂ，Ｂは、道路脇等に形成されている側溝の上面開口部を覆うために敷設されたコンクリート製の溝蓋であって一般に周知のものである。この溝蓋Ｂ，Ｂの隣接する部分間には、細長い排水穴Ｃが設けられている。本発明にいう溝蓋排水穴閉塞用キャップは、この排水穴Ｃの上面を塞ぐようにした天板１と、排水穴Ｃに入り込んで天板１が移動しないように作用する固定部材とからなっている。
【００２２】
天板１は、溝蓋Ｂ，Ｂ間の排水穴Ｃを閉じるのに十分な面積を有していて、該実施例のものにあっては、長方形状とされた薄皿形のほぼ平らな板体である。固定部材は、側面視くの字形に屈曲するようにした左右一対の脚部材３，３で形成されている。また、これらの脚部材３，３の他に天板１の下面からは下方に向かって一体的に垂下された支柱２を設けてある。この支柱２は、該実施例のものにあっては、脚部材３，３を図１〜３のように天板１の長手方向に沿って長い幅を有するものとしてある関係で、天板１の長手方向に適宜の間隔を隔てて垂下させた２枚の板体で形成してある。
【００２３】
而して、左右一対の脚部材３，３は、上下方向と天板１の長手方向とに所定の面積をもった上半部材３ａと下半部材３ｂとの２枚の部材からなっていて、下半部材３ｂの下端部３１，３１と、上半部材３ａの上端部３２，３２と、これら上半部材３ａと下半部材３ｂとを連結する連設部、即ち、脚部材３，３の上下方向略中間部３４，３４とが、上部水平方向軸ａ、下部水平方向軸ｂ及び中間水平方向軸ｃとの３本の水平方向軸ａ，ｂ，ｃによって相対角度を変更できるように連結させてある。
【００２４】
更に、該実施例の左右一対の脚部材３，３は、図４，５のように、その長手方向の下端部３１，３１が、２枚の支柱２，２の下部２１の両側に支持されていて、上半部材３ａの上端部３２，３２は、図１，２に見られるように、天板１の中央部に回転操作穴５ａを開口させて回転操作できるようにしてある回転軸体５に、実質的には回転ねじ軸になっていて、図６のように、該ねじ軸５に昇降自在に嵌合させたナット５ｂと連結してあるブラケット３３，３３を介して昇降移動を伝達させるようにしてある。
【００２５】
而して、上半部材３ａの上端部３２，３２がブラケット３３，３３を介してナット５ｂの降下圧を受けると、上半部材３ａと下半部材３ｂとを連結する連設部、即ち脚部材３，３の上下方向略中間部３４，３４が中間水平方向軸ｃを軸心として拡径方向に移行し、上半部材３ａと下半部材３ｂとの内角が拡大する。このとき中間水平方向軸ｃは降下移動しながら拡径する。
【００２６】
この回転軸体５の回転操作に先立って、図１に示した矢印Ａのように、隣接して配置された溝蓋Ｂ，Ｂの間に形成された細長い排水穴Ｃに脚部材３，３を挿入し、同穴Ｃを覆うように天板１を載置し、天板１の中央部に設けてある回転軸体５の回転操作穴５ａに工具を差し込んで回転させる。この回転操作によって回転軸体５に螺嵌させてある前記ナット５ｂを降下させ、図５のように、脚部材３，３の上下方向略中間部３４，３４を排水穴Ｃの対向側壁に圧接させる。
【００２７】
この排水穴Ｃの幅が大きい場合には、回転軸体５の回転を多くして、図７乃至図１１に示したように、左右の脚部材３，３の上下方向略中間部３４，３４を大きく拡径させればよい。図１０に最大拡径状態を示してある。
【００２８】
図１２乃至図１７は、第２実施例を示す図であって、図１２はその全体形状を示す斜視図、図１３はその平面図、図１４は背面図、図１５は正面図、図１６は右側側面図、図１７は図１５におけるＣ−Ｃ線断面図である。
【００２９】
而して、該第２実施例に示した溝蓋排水穴閉塞キャップは、天板１の下方に形成した左右一対の脚部材３，３を、左右それぞれ一枚の一連の板状素材３０を用いて、側面視略円筒状に形成したものとし、天板１の長手方向における脚部材３，３の長さとほぼ同じ間隔を隔てて天板１から垂下させた２枚の細幅の板状支柱２，２の下端に横臥させた帯板素材２ａに、それぞれの下端部３１を連結させ、上端部３２を図１７のように回転軸体５に連結した昇降移動ナット５ｂに連結したものとしてある。このようにして、回転軸体５の回転操作による昇降移動ナット５ｂの降下移動によって脚部材３，３の上端部３２，３２を降下させることにより、脚部材３，３の上下方向中間部３４，３４を側方に突出させ、即ち、拡径させ、排水穴の側壁に圧接するようにしたものである。
【００３０】
図１８乃至図２３は、第３実施例を示す図であって、図１８はその全体形状を示す斜視図、図１９はその平面図、図２０は背面図、図２１は正面図、図２２は右側側面図、図２３は図２１におけるＤ−Ｄ線断面図である。
【００３１】
而して、該第３実施例の溝蓋排水穴閉塞キャップは、天板１の下方に形成した左右一対の脚部材３，３を、前記第２実施例のキャップと同様に、左右それぞれ一枚の一連の板状素材３０を用いて形成したものであるが、その側面視形状を一辺が垂直方向に沿うようにした略六角形状に形成したものとし、即ち、脚部材３，３の上下方向中間部３４，３４を垂直方向に沿わせてある略六角形状に形成したものとし、これを前記と同様に、天板１の長手方向における脚部材３，３の長さとほぼ同じ間隔を隔てて天板１から垂下させた２枚の細幅の板状支柱２，２の下端に横臥させた帯板素材２ａに、それぞれの下端部３１を連結させ、上端部３２を図２３のように回転軸体５に連結した昇降移動ナット５ｂに連結したものとしてある。このようにして、回転軸体５の回転操作による昇降移動ナット５ｂの降下移動によって脚部材３，３の上端部３２，３２を降下させることにより、脚部材３，３の上下方向中間部３４，３４、即ち、該実施例のものにあっては、垂直方向に沿わせてある部分３４，３４を側方に向かって拡径させ、排水穴の側壁に面で圧接するようにしたものである。
【００３２】
更に、図２４及び図２５は第４実施例の溝蓋排水穴閉塞キャップの下面側の斜視図とその側面図を示したもので、該キャップは、天板１の下方に形成した左右一対の脚部材３，３を、左右一枚の一連の板状素材３０を用いて、前記第２実施例のように、側面視形状を略円形に形成したもので、該板状素材３０の長手方向のほぼ中間部を、下端部３１に配置して支柱２を兼ねさせた回転軸体５の下端部に連結し、長手方向の両端近く部分を上端部３２，３２として、回転軸体５の上部に重ね合わせ状として連結させた構造としたものである。なお、該実施例に示したキャップは、回転軸体５の回転操作によって脚部材３が支柱２の周りに共廻りすることを阻止するための回転阻止部材６，６を、脚部材３の長手方向の両側に天板１の下面から垂下させてある構造としたものである。このように脚部材３の支柱２と同軸に回転軸体を形成してある場合には、このような回転阻止部材６を片方側だけにでも設けておくのが好ましい。
【００３３】
以上本発明の代表的な実施例について説明したが、本発明にいうところの溝蓋排水穴閉塞キャップは、これらの実施例に示した構造のもののみに限定されるものではなく、前記の構成要件を備え、且つ効果を有する範囲内で適宜に変更して実施することができるものである。  
【産業上の利用可能性】
【００３４】
本発明にいうところの溝蓋排水穴閉塞キャップは、以上のように溝蓋の排水穴に対して脚部材を挿入した姿勢で、ボルトを回動するだけの操作で簡単に取り付けることができ、
一旦取り付けた後は、爪先で蹴られたり、躓いたりする外力を受けても、容易に外れることなく排水穴に取り付けられた状態を長期間維持させておくことができるので、メンテナンスの必要性を皆無または大幅に削減できるので、路面工事関係者間で大いに重用されるものと思われる。
【図面の簡単な説明】
【００３５】
【図１】第１実施例の全体形状と溝蓋との関係を示す斜視図。
【図２】同平面図。
【図３】同背面図。
【図４】同正面図。
【図５】同右側側面図。
【図６】図４におけるＡ−Ａ線断面図。
【図７】脚部材を拡径した状態での全体形状を示す斜視図。
【図８】同背面図。
【図９】同正面図。
【図１０】同右側側面図。
【図１１】図９におけるＢ−Ｂ線断面図。
【図１２】第２実施例の全体形状を示す斜視図。
【図１３】同平面図。
【図１４】同背面図。
【図１５】同正面図。
【図１６】同右側側面図。
【図１７】図１５におけるＣ−Ｃ線断面図。
【図１８】第３実施例の全体形状を示す斜視図。
【図１９】同平面図。
【図２０】同背面図。
【図２１】同正面図。
【図２２】同右側側面図。
【図２３】図２１におけるＤ−Ｄ線断面図。
【図２４】第４実施例の下面側の斜視図。
【図２５】同側面図。
【符号の説明】
【００３６】
１  天板
２  支柱
２１  支柱下部
２２  支柱上部
３  脚部材
３０  板状素材
３１  下端部
３２  上端部
３３  接当部
３４  上下方向中間部
３ａ  上半部材
３ｂ  下半部材
４  昇降移動部材
５  回転軸体
６  回転阻止部材
Ｂ  溝蓋
Ｃ  排水穴
ａ，ｂ，ｃ  水平方向軸
【図１】
2009150051.tif 000003
【図２】
2009150051.tif 000004
【図３】
2009150051.tif 000005
【図４】
2009150051.tif 000006
【図５】
2009150051.tif 000007
【図６】
2009150051.tif 000008
【図７】
2009150051.tif 000009
【図８】
2009150051.tif 000010
【図９】
2009150051.tif 000011
【図１０】
2009150051.tif 000012
【図１１】
2009150051.tif 000013
【図１２】
2009150051.tif 000014
【図１３】
2009150051.tif 000015
【図１４】
2009150051.tif 000016
【図１５】
2009150051.tif 000017
【図１６】
2009150051.tif 000018
【図１７】
2009150051.tif 000019
【図１８】
2009150051.tif 000020
【図１９】
2009150051.tif 000021
【図２０】
2009150051.tif 000022
【図２１】
2009150051.tif 000023
【図２２】
2009150051.tif 000024
【図２３】
2009150051.tif 000025
【図２４】
2009150051.tif 000026
【図２５】
2009150051.tif 000027